(57)【要約】【課題】印刷制御装置およびそのプログラムを提供する。【解決手段】本願実施形態の印刷制御装置は、画像が形成される画像形成部材の面それぞれに印刷される画像の数の初期値を受け入れ、画像形成部材の面それぞれに、複数の画像が、個別に縮小されて形成されるときに、受け入れられた画像の数の初期値、または、制御された画像の数が示す数だけ縮小して印刷される画像に含まれる文字のサイズが、予め決められた条件を満たすか否かを判定し、判定の結果に基づいて、画像形成部材の面それぞれに個別に縮小されて印刷される複数の画像それぞれに含まれる文字のサイズが、予め決められた条件を満たすように、画像形成部材の面それぞれに印刷される画像の数を、受け入れられた初期値から制御し、条件を満たすと判定された数の画像を、画像形成部材の面それぞれに個別に縮小して形成する。【選択図】図２
2011039642.tif 000002
【特許請求の範囲】
【請求項１】
画像が形成される画像形成部材の面それぞれに印刷される画像の数の初期値を受け入れる画像数受入手段と、
前記画像形成部材の面それぞれに、複数の画像が、個別に縮小されて形成されるときに、前記受け入れられた画像の数の初期値、または、制御された画像の数が示す数だけ縮小して印刷される画像に含まれる文字のサイズが、予め決められた条件を満たすか否かを判定する文字サイズ判定手段と、
前記判定の結果に基づいて、前記画像形成部材の面それぞれに個別に縮小されて印刷される複数の画像それぞれに含まれる文字のサイズが、予め決められた条件を満たすように、前記画像形成部材の面それぞれに印刷される画像の数を、前記受け入れられた初期値から制御し、前記文字サイズ判定手段にさらに判定させる画像数制御手段と、
前記条件を満たすと判定された数の画像を出力する画像出力手段と
を有する印刷制御装置。
【請求項２】
前記画像出力手段は、前記画像形成部材の面それぞれに印刷されたときの画像を示すプレビュー画像の出力、前記画像形成部材それぞれへの印刷出力、通信回線または記録媒体への出力、またはこれらの１つ以上を行う
請求項１に記載の印刷制御装置。
【請求項３】
前記画像形成部材の面それぞれに複数の画像が形成されるときに、これらの画像の配列を受け入れる配列受入手段
をさらに有し、
前記画像形成手段は、前記画像形成部材の面それぞれの制御された数の画像を、前記画像形成部材の面それぞれに個別に縮小して、前記受け入れられた配列で形成する
請求項１または２に記載の印刷制御装置。
【請求項４】
前記配列受入手段は、予め用意された画像の複数の配列を表示し、この表示に応じて選択された配列を受け入れる
請求項１〜３のいずれかに記載の印刷制御装置。
【請求項５】
前記予め用意された画像の配列は、
標準として用いられる配列、
印刷後の前記画像形成部材の面の面積を最大とする配列、
観者の視認性を考慮した配列、および、
前記画像形成部材の面の順番と、前記画像形成部材の面それぞれに形成される画像の順番とを変更した配列
の内の２つ以上である
請求項１〜４のいずれかに記載の印刷制御装置。
【請求項６】
前記予め決められた条件は、前記画像形成部材の面それぞれに印刷される画像に含まれる文字の最小のサイズが、外部から設定されるサイズ以上である
請求項１〜５のいずれかに記載の印刷制御装置。
【請求項７】
前記画像形成部材の面それぞれに印刷される画像に含まれる文字は、前記画像形成部材のヘッダおよびフッダまたはこれらのいずれかの部分に形成される第１の文字と、前記画像形成部材のヘッダおよびフッダまたはこれらのいずれかの部分以外に形成される第２の文字とを含み、
前記予め決められた条件は、前記画像形成部材の面それぞれに印刷される画像に含まれる第２の文字の最小のサイズが、外部から設定されるサイズ以上である
請求項１〜５のいずれかに記載の印刷制御装置。
【請求項８】
前記予め決められた条件は、前記画像形成部材の面それぞれに印刷される画像に最も多く含まれる文字の外部から設定される割合のサイズが、外部から設定されるサイズ以上である
請求項１〜５のいずれかに記載の印刷制御装置。
【請求項９】
画像が形成される画像形成部材の面それぞれに印刷される画像の数の初期値を受け入れるステップと、
前記画像形成部材の面それぞれに、複数の画像が、個別に縮小されて形成されるときに、前記受け入れられた画像の数の初期値、または、制御された画像の数が示す数だけ縮小して印刷される画像に含まれる文字のサイズが、予め決められた条件を満たすか否かを判定するステップと、
前記判定の結果に基づいて、前記画像形成部材の面それぞれに個別に縮小されて印刷される複数の画像それぞれに含まれる文字のサイズが、予め決められた条件を満たすように、前記画像形成部材の面それぞれに印刷される画像の数を、前記受け入れられた初期値から制御するステップと、
前記条件を満たすと判定された数の画像を出力するステップと
をコンピュータに実行させるプログラム。
【発明の詳細な説明】
【技術分野】
【０００１】
本発明は、印刷制御装置およびそのプログラムに関する。
【背景技術】
【０００２】
例えば、特許文献１は、ページごとに異なる数の画像を印刷するように設定できる印刷制御装置などを開示し、この印刷制御装置は、印刷指示部から発行される１以上のページからなる印刷データに対して、制御部が情報テーブルに設定されたページ単位の画像の数の設定値に基づいて設定処理を行い、生成される印刷ジョブをスプーラを介してプリンタに送信する。
また、例えば、特許文献２は、アプリケーションソフトウェアからの描画データの縮小印刷モードおよび縮小された画像の用紙上における配置を指示する指示情報が、ユーザインターフェースにより指定されると、その描画データの縮小率を決定し、その縮小率に従って描画データを縮小し、その縮小された描画データを指示情報に基づいて配置し、縮小された描画データが配置された印刷情報をプリンタ装置に出力することにより、縮小画像をレイアウトして印刷する印刷装置を開示する。
【先行技術文献】
【特許文献】
【０００３】
【特許文献１】特開２００５−３２２０４０号公報
【特許文献２】特開２００５−１７３９１８号公報
【発明の概要】
【発明が解決しようとする課題】
【０００４】
本願発明は、複数の画像を、画像形成部材の１つの面に、個別に印刷したときに、これらの画像に含まれる文字のサイズを、所定の条件を満たすように保つ印刷制御装置およびそのプログラムを提供することを目的とする。
【課題を解決するための手段】
【０００５】
本願請求項１にかかる発明は、画像が形成される画像形成部材の面それぞれに印刷される画像の数の初期値を受け入れる画像数受入手段と、前記画像形成部材の面それぞれに、複数の画像が、個別に縮小されて形成されるときに、前記受け入れられた画像の数の初期値、または、制御された画像の数が示す数だけ縮小して印刷される画像に含まれる文字のサイズが、予め決められた条件を満たすか否かを判定する文字サイズ判定手段と、前記判定の結果に基づいて、前記画像形成部材の面それぞれに個別に縮小されて印刷される複数の画像それぞれに含まれる文字のサイズが、予め決められた条件を満たすように、前記画像形成部材の面それぞれに印刷される画像の数を、前記受け入れられた初期値から制御し、前記文字サイズ判定手段にさらに判定させる画像数制御手段と、前記条件を満たすと判定された数の画像を出力する画像出力手段とを有する印刷制御装置である。
【０００６】
本願請求項２にかかる発明は、前記画像出力手段は、前記画像形成部材の面それぞれに印刷されたときの画像を示すプレビュー画像の出力、前記画像形成部材それぞれへの印刷出力、通信回線または記録媒体への出力、またはこれらの１つ以上を行う請求項１に記載の印刷制御装置である。
【０００７】
本願請求項３にかかる発明は、前記画像形成部材の面それぞれに複数の画像が形成されるときに、これらの画像の配列を受け入れる配列受入手段をさらに有し、前記画像形成手段は、前記画像形成部材の面それぞれの制御された数の画像を、前記画像形成部材の面それぞれに個別に縮小して、前記受け入れられた配列で形成する請求項１または２に記載の印刷制御装置である。
【０００８】
本願請求項４にかかる発明は、前記配列受入手段は、予め用意された画像の複数の配列を表示し、この表示に応じて選択された配列を受け入れる請求項１〜３のいずれかに記載の印刷制御装置である。
【０００９】
本願請求項５にかかる発明は、前記予め用意された画像の配列は、標準として用いられる配列、印刷後の前記画像形成部材の面の面積を最大とする配列、観者の視認性を考慮した配列、および、前記画像形成部材の面の順番と、前記画像形成部材の面それぞれに形成される画像の順番とを変更した配列の内の２つ以上である請求項１〜４のいずれかに記載の印刷制御装置である。
【００１０】
本願請求項６にかかる発明は、前記予め決められた条件は、前記画像形成部材の面それぞれに印刷される画像に含まれる文字の最小のサイズが、外部から設定されるサイズ以上である請求項１〜５のいずれかに記載の印刷制御装置である。
【００１１】
本願請求項７にかかる発明は、前記画像形成部材の面それぞれに印刷される画像に含まれる文字は、前記画像形成部材のヘッダおよびフッダまたはこれらのいずれかの部分に形成される第１の文字と、前記画像形成部材のヘッダおよびフッダまたはこれらのいずれかの部分以外に形成される第２の文字とを含み、前記予め決められた条件は、前記画像形成部材の面それぞれに印刷される画像に含まれる第２の文字の最小のサイズが、外部から設定されるサイズ以上である請求項１〜５のいずれかに記載の印刷制御装置である。
【００１２】
本願請求項８にかかる発明は、前記予め決められた条件は、前記画像形成部材の面それぞれに印刷される画像に最も多く含まれる文字の最小の外部から設定される割合のサイズが、外部から設定されるサイズ以上である請求項１〜５のいずれかに記載の印刷制御装置である。
【００１３】
本願請求項９にかかる発明は、画像が形成される画像形成部材の面それぞれに印刷される画像の数の初期値を受け入れるステップと、前記画像形成部材の面それぞれに、複数の画像が、個別に縮小されて形成されるときに、前記受け入れられた画像の数の初期値、または、制御された画像の数が示す数だけ縮小して印刷される画像に含まれる文字のサイズが、予め決められた条件を満たすか否かを判定するステップと、前記判定の結果に基づいて、前記画像形成部材の面それぞれに個別に縮小されて印刷される複数の画像それぞれに含まれる文字のサイズが、予め決められた条件を満たすように、前記画像形成部材の面それぞれに印刷される画像の数を、前記受け入れられた初期値から制御するステップと、
前記画像形成部材の面それぞれの制御された数の画像を出力するステップとをコンピュータに実行させるプログラムである。
【発明の効果】
【００１４】
本願請求項１にかかる発明によれば、複数の画像を、画像形成部材の１つの面に、個別に印刷したときに、これらの画像に含まれる文字のサイズを、所定の条件を満たすように保つ印刷制御装置が提供される。
【００１５】
本願請求項２にかかる発明によれば、複数の画像を、画像形成部材の１つの面に、個別に印刷したときにのプレビュー出力、このような印刷出力および画像情報の出力を行う印刷制御装置が提供される。
【００１６】
本願請求項３にかかる発明によれば、利用者所望の配列で、複数の画像を、画像形成部材の１つの面に、個別に印刷したときに、これらの画像に含まれる文字のサイズを、所定の条件を満たすように保つ印刷制御装置が提供される。
【００１７】
本願請求項４にかかる発明によれば、利用者に、複数の画像を、画像形成部材の１つの面に、個別に印刷するための配列を提示し、利用者が選択した配列で、複数の画像を、画像形成部材の１つの面に、個別に印刷したときに、これらの画像に含まれる文字のサイズを、所定の条件を満たすように保つ印刷制御装置が提供される。
【００１８】
本願請求項５にかかる発明によれば、利用者が、標準的な配列、画像形成部材の使用面を、この構成を採らなかったときと比べて少なくする配列、利用者が、この構成を採らなかったときと比べて視認しやすい配列、および、画像形成部材の面の順番と、画像形成部材の面それぞれに形成される画像の順番とを変更した配列の内から選択した配列で、複数の画像を、画像形成部材の１つの面に、個別に印刷したときに、これらの画像に含まれる文字のサイズを、所定の条件を満たすように保つ印刷制御装置が提供される。
【００１９】
本願請求項６にかかる発明によれば、複数の画像を、画像形成部材の１つの面に、個別に印刷したときに、画像に含まれる文字の内の最小の文字のサイズを、一定以上に保つ印刷制御装置が提供される。
【００２０】
本願請求項７にかかる発明によれば、画像形成部材の面にヘッダおよびフッダの部分があるときに、これらの部分以外の最小の文字のサイズを、一定以上に保つ印刷制御装置が提供される。
【００２１】
本願請求項８にかかる発明によれば、画像に最も多く含まれる文字の最小のサイズの一定のサイズを、一定以上に保つ印刷制御装置が提供される。
【００２２】
本願請求項９にかかる発明によれば、複数の画像を、画像形成部材の１つの面に、個別に印刷したときに、これらの画像に含まれる文字のサイズを、所定の条件を満たすように保つプログラムが提供される。
【図面の簡単な説明】
【００２３】
【図１】本願実施形態が適用される印刷装置の構成を例示する図である。
【図２】図１に示した印刷装置において実行される印刷プログラムを示す図である。
【図３】図２に示した印刷プログラムのＵＩにより、図１に示した入出力装置の表示装置などに表示され、画像数情報の設定に用いられる第１のＧＵＩ画像を例示する図である。
【図４】図２に示した印刷プログラムのＵＩにより、図１に示した入出力装置の表示装置などに表示され、文字サイズ情報および物理頁における画像の配列を示す配列情報の設定に用いられる第２のＧＵＩ画像を例示する図である。
【図５】図２に示した印刷プログラムの画像データ編集部に設定される初期情報のみを含む情報テーブルを例示する図である。
【図６】図２に示した印刷プログラムの画像データ編集部および文字サイズ判定部の処理により得られ、最終的に画像データの作成に用いられる情報テーブルの初期値を例示する図である。
【図７】各物理頁に印刷される論理頁の配列を示す第１のプレビュー画像を例示する第１の図である。
【図８】各物理頁に印刷される論理頁の配列を示す第２のプレビュー画像を例示する第２の図である。
【図９】各物理頁に印刷される論理頁の配列を示す第３のプレビュー画像を例示する第３の図である。
【図１０】各物理頁に印刷される論理頁の配列を示す第４のプレビュー画像を例示する第４の図である。
【図１１】図２に示した印刷プログラムの画像データ編集部および文字サイズ判定部の処理により得られた最終的な情報テーブル（図６）の内容が反映された第３のＧＵＩ画像を例示する図である。
【図１２】図１などに示した印刷装置の第１の全体的な動作（Ｓ１０）を示す第１のフローチャートである。
【図１３】図１などに示した印刷装置の第２の全体的な動作（Ｓ１４）を示す第２のフローチャートである。
【図１４】図２に示したＵＩにより、図１に示した入出力装置の表示装置などに、図４に示した第１のＧＵＩ画像の代わりに表示され、文字サイズ情報および物理頁における画像の配列を示す配列情報の設定に用いられる第４のＧＵＩ画像を例示する図である。
【図１５】図１などに示した印刷装置１の第３の全体的な動作（Ｓ１６）を示す第３のフローチャートである。
【発明を実施するための形態】
【００２４】
［本願実施形態がなされるに至った経緯］
まず、本願実施形態の説明に先立ち、その理解を助けるために、本願実施形態がなされるに至った経緯を説明する。
上記特許文献１，２は、印刷用紙などの画像形成部材の余白領域を、有効利用して印刷用紙を節約することを開示している。
しかしながら、これらの特許文献のうち、特許文献２の開示事項によると、ドキュメントを縮小した結果の余白に、別のドキュメントを合成する技術を開示しているが、縮小率が全体で均一なため、もともとの用紙サイズが異なるページが混在した場合に、結果的に余白ができてしまったり、画像に含まれる文字が小さくなりすぎて判読しにくくなったりしてしまう。
以下に説明する本願実施形態は、画像に含まれる文字の大きさに応じて、画像形成部材の１面に印刷される画像の枚数を制御し、画像に含まれる文字のサイズを判読しやすい大きさに保ち、また、標準的な配列以外に、画像形成部材の空き領域を最小とする配列も選択して印刷するように構成されている。
【００２５】
［本願実施形態の説明］
以下、本願実施形態を説明する。
【００２６】
［印刷装置１］
図１は、本願実施形態が適用される印刷装置１の構成を例示する図である。
図１に示すように、印刷装置１は、ＣＰＵ１０２、メモリ１０４およびこれらの周辺回路などを含む制御装置１００、キーボード、マウスおよび表示装置などを含む入出力装置１０６、ネットワークを介した他の装置（コンピュータなど；いずれも図示せず）との間の通信を行うインターフェース（ＩＦ）１１０、ＨＤ，ＣＤ，ＤＶＤなどの記憶媒体１１４に対して情報・データを記憶する記憶装置１１２、および、制御装置１００の制御に従って、画像形成部材の面に対して画像を形成する画像形成装置１１６から構成される。
つまり、印刷装置１は、画像の印刷が可能なコンピュータとしての構成部分を有している。
なお、以下の各図においては、実質的に同じ構成部分および処理には、同じ符号が付される。
また、画像形成部材として、紙、プラスチックおよび金属など、様々なものが用いられ得るが、以下の説明においては、説明の明確化および具体化のために、画像形成部材として印刷用紙が用いられる場合が具体例とされる。
【００２７】
［ソフトウェア］
以下、図１に示した印刷装置１において実行されるソフトウェア（印刷プログラム１４）を説明する。
図２は、図１に示した印刷装置１において実行される印刷プログラム１４を示す図である。
なお、図２においては、図示の都合上、情報の流れを示す線が、適宜、省略されている。
図２に示すように、印刷プログラム１４は、アプリケーションプログラム（ＡＰ）１４０、画像データ編集部１５０、ユーザインターフェース部（ＵＩ）１５２、設定受入部１５４，画像データ受信部１６０、印刷情報設定部１６２、文字サイズ判定部１６４、イメージ認識部１６６、ページ割当部１６８、プレビュー処理部１７０、印刷データ作成部１７２、印刷データ送信部１７４および印刷スプーラ部１７６から構成される。
印刷プログラム１４は、例えば、記憶媒体１１４（図１）を介して印刷装置１に供給され、メモリ１０４にロードされ、印刷装置１にインストールされたＯＳ（図示せず）上で、印刷装置１のハードウェア資源を具体的に利用して実行される。
印刷装置１は、これらの構成部分により、印刷用紙の１つの面（以下、「物理頁」とも記す）に、複数の画像を縮小して重複なく、個別に印刷（以下、このような印刷を「割当印刷」とも記す）する際に、画像に含まれる文字の判読が容易なように、１つの物理頁に印刷される画像の数を制御し、さらに、利用者所望の配列で、上記制御により得られた数の画像を１つの物理頁に印刷する。
【００２８】
印刷プログラム１４において、ＡＰ１４０は、入出力装置１０６（図１）などの操作に応じて、記憶媒体１１４などを介して供給された画像データを処理し、処理の結果として得られた画像データと、割当印刷の際に、印刷用紙の各物理頁に、いくつの画像を印刷するかを示す情報（画像数情報）、いずれの印刷用紙の物理頁に、いずれの画像を印刷するかを示す配列を示す情報（配列情報）、および、各物理頁に印刷される画像に含まれる文字のサイズの最小値をポイント数で示す文字サイズ情報などを含む設定情報とを、画像データ受信部１６０および印刷情報設定部１６２に対して出力する。
画像データ受信部１６０は、ＡＰ１４０から入力された画像データを受け入れて、画像データ編集部１５０に対して出力する。
【００２９】
図３は、図２に示した印刷プログラム１４のＵＩ１５２により、図１に示した入出力装置１０６の表示装置などに表示され、画像数情報の設定に用いられる第１のＧＵＩ画像を例示する図である。
図４は、図２に示した印刷プログラム１４のＵＩ１５２により、図１に示した入出力装置１０６の表示装置などに表示され、文字サイズ情報および物理頁における画像の配列を示す配列情報の設定に用いられる第２のＧＵＩ画像を例示する図である。
【００３０】
ＵＩ１５２は、入出力装置１０６（図１）の表示装置に対して、図３，図４に示す第１および第２のＧＵＩ画像を表示し、これらのＧＵＩ画像に対して、画像数情報と、配列情報と、配列情報とを設定する利用者の操作を受け入れ、これらの操作を示す情報を、設定受入部１５４に対して出力する。
また、ＵＩ１５２は、プレビュー処理部１７０から入力され、画像データ編集部１５０および印刷装置１７２により作成された印刷データが、どのように印刷用紙に印刷されるかを示すプレビュー画像を、入出力装置１０６の表示装置などに表示する。
【００３１】
設定受入部１５４は、ＵＩ１５２が受け入れた画像数情報の設定を、割当印刷の画像数情報の初期値として画像データ編集部１５０に設定し、また、ＵＩ１５２が受け入れた配列情報を、画像データ編集部１５０に対して出力する。
印刷情報設定部１６２は、ＵＩ１５２を介して画像数情報の入力が行われないときには、ＡＰ１４０から入力された設定情報を受け入れて記憶し、さらに、記憶した設定情報に含まれる画像数情報画像の数を、割当印刷の画像数情報の初期値として、画像データ編集部１５０に設定する。
【００３２】
図５は、図２に示した印刷プログラム１４の画像データ編集部１５０に設定される初期情報のみを含む情報テーブルを例示する図である。
図６は、図２に示した印刷プログラム１４の画像データ編集部１５０および文字サイズ判定部１６４の処理により得られ、最終的に画像データの作成に用いられる情報テーブルの初期値を例示する図である。
図５は、図２に示した印刷プログラム１４の画像データ編集部１５０および文字サイズ判定部１６４の処理により最終的に得られる情報テーブルを例示する図である。
なお、例えば、画像データ編集部１５０は、設定受入部１５４または印刷情報設定部１６２から設定される情報を処理し、図５に示すように、物理頁に印刷される画像（以下、「論理頁」と記す）それぞれの番号（論理頁番号）と、その論理頁が印刷される物理頁の番号（物理頁番号）と、各論理頁における文字サイズ情報とを対応付ける情報テーブルを作成し、記憶する。
【００３３】
ページ割当部１６８は、図５に示した情報テーブルに記憶された情報と、入出力装置１０６に表示されるプレビュー画像（図７〜図１０を参照して後述）に応じて選択される配列情報とに従って、各論理頁を、各物理頁に割り当てる。
画像データ編集部１５０は、図５に示した情報テーブルに含まれる情報と、ページ割当部１６８から入力される配列情報とに従って、入力された画像データを処理し、各物理頁に各論理頁を印刷するための画像データを作成する。
なお、画像データ編集部１５０は、作成した各論理頁を印刷するための画像データを、ＩＦ１１０（図１）を介してネットワークを介して他の装置に送信したり、記憶装置１１２を介して記憶媒体１１４に記憶させてもよい。
【００３４】
図７〜図１０は、各物理頁に印刷される論理頁の配列を示す第１〜第４のプレビュー画像を例示する第１〜第４の図である。
なお、図７〜図１０においては、長方形に付された番号は、論理頁番号（図５，図６）であり、この番号が付された長方形は各論理頁である。
また、図７〜図１０においては、複数の論理頁を含み、１〜４ページ目と記された長方形は、各物理頁であり、１〜４ページ目の物理頁を含む長方形がプレビュー画像である。
プレビュー処理部１７０は、例えば、図３に示した「プレビューボタン」が利用者により押下されたとＵＩ１５２が判定したときに、図７〜図１０に示すように、画像データ編集部１５０が作成した各物理頁を印刷したと仮定したときに得られる画像を示すプレビュー画像を生成し、ＵＩ１５２に対して出力する。
【００３５】
図７に示す第１のプレビュー画像は、印刷装置１において割当印刷の際に標準的に用いられる各物理頁上の各論理画像の配列を示す。
図８に示す第２のプレビュー画像は、印刷装置１において割当印刷の際に、印刷用紙の面の余白を最大とするための各物理頁上の各論理画像の配列を示す。
図９に示す第３のプレビュー画像は、印刷装置１において割当印刷の際に、印刷結果に含まれる文字の視認性を最良とするための各物理頁上の各論理画像の配列を示す。
図１０に示す第３のプレビュー画像は、印刷装置１において割当印刷の際に、物理頁の順番と、それらに印刷される各論理頁を、利用者が入出力装置１０６のマウスなどを用いて変更したときの配列を示す。
例えば、ＵＩ１５２は、各プレビュー画像の「閉じる」のボタンが押されたときに表示されていた配列を、利用者が選択した配列を示す配列情報として、設定受入部１５４に対して出力する。
【００３６】
文字サイズ判定部１６４は、画像データ編集部１５０が生成した各物理頁上の各論理頁に含まれる文字のサイズが、図５に示した文字サイズ情報により示される条件を満たしているか否かを判断する。
文字サイズ判定部１６４は、各物理頁上の各論理頁に含まれる文字のサイズが、図５に示した文字サイズ情報により示される条件を満たしているときには、その時点で情報テーブルに記憶されている情報を、最終的な印刷のための画像データの作成に用いるべき情報とするように画像データ編集部１５０を制御する。
一方、文字サイズ判定部１６４は、物理頁のいずれかの上の論理頁のいずれかに含まれる文字のサイズが、図５に示した文字サイズ情報により示される条件を満たしていないときには、条件を満たしていない物理頁に印刷される論理頁の枚数を減らすように、情報テーブルに記憶されている情報を変更するように画像データ編集部１５０を制御する。
【００３７】
図１１は、図２に示した印刷プログラム１４のＵＩ１５２および文字サイズ判定部１６４の処理により得られた最終的な情報テーブル（図６）の内容が反映された第３のＧＵＩ画像を例示する図である。
この文字サイズ判定部１６４による画像データ編集部１５０に対する制御により、図５に示した初期値の情報を含む情報テーブル、図６に示した最終的な情報テーブルが得られる。
この最終的な情報テーブルの内容は、図１１に示すように、ＵＩ１５２により入出力装置１０６（図１）に表示されるＧＵＩ画像の内容に反映される。
【００３８】
印刷データ作成部１７２は、画像データ編集部１５０が最終的な情報テーブル（図６）を用いて作成した画像データから、画像形成装置１１６（図１）における印刷のために用いられる印刷データを生成し、印刷データ送信部１７４に対して出力する。
印刷データ送信部１７４は、生成された印刷データを、制御装置１００から画像形成装置１１６に対して送信する。
印刷スプーラ部１７６は、例えば、画像形成装置１１６にあり、送られてきた印刷データを画像形成装置１１６が印刷可能な状態に変換し、画像形成装置１１６を制御して、変換したデータを印刷用紙から印刷出力させる。
【００３９】
［印刷装置１の全体動作］
以下、印刷装置１の全体動作を説明する。
図１２は、図１などに示した印刷装置１の第１の全体的な動作（Ｓ１０）を示す第１のフローチャートである。
図１２に示すように、ステップ１００（Ｓ１００）において、図５に示したように、画像データ編集部１５０の情報テーブルには、各情報の初期値が設定される。
ステップ１０４（Ｓ１０４）において、文字サイズ判定部１６４は、それまでＳ１００〜Ｓ１２０の処理の対象とされていない物理頁のいずれかを、判定処理の対象として選択する。
ステップ１０６（Ｓ１０６）において、文字サイズ判定部１６４は、その時点で情報テーブル（図５，図６）に含まれる情報と、選択された配列（図７〜図１０）とを用いて、判定対象とした物理頁に含まれる論理頁の画像が印刷されたときに、この物理頁に含まれる各論理頁に含まれる最小の文字のサイズが、図４に示した第２のＧＵＩ画像を用いて設定された大きさ未満となるか否かを判定する。
最小の文字のサイズが、図４に示した第２のＧＵＩ画像を用いて設定された大きさ未満となるときには、印刷プログラム１４はＳ１１０の処理に進み、これ以外のときにはＳ１２０の処理に進む。
【００４０】
ステップ１１０（Ｓ１１０）において、文字サイズ判定部１６４は、画像データ編集部１５０を制御して、処理対象の物理頁に含まれる論理頁の数を１段階（例えば１つ）少なくさせるように、情報テーブル（図５，図６）を変更させ、Ｓ１０６の処理に戻る。
ステップ１２０（Ｓ１２０）において、文字サイズ判定部１６４は、画像データ編集部１５０を制御して、その時点の情報テーブルを、最終的な情報テーブルとする。
ステップ１２２（Ｓ１２２）において、文字サイズ判定部１６４は、全ての物理頁に対してＳ１００〜Ｓ１２０の処理が行われたか否かを判断する。
全ての物理頁に対してＳ１００〜Ｓ１２０の処理が行われたときには、印刷プログラム１４はＳ１２４の処理に進み、これ以外のときにはＳ１０４の処理に戻る。
ステップ１２４（Ｓ１２４）において、画像データ編集部１５０、印刷データ作成部１７２、印刷データ送信部１７４および印刷スプーラ部１７６は、最終的に得られた情報テーブル（図６，図１１）に含まれる各情報を用いて、画像出力を行う。
【００４１】
［第１の変形例］
以下、本願実施形態の第１の変形例を説明する。
図１３は、図１などに示した印刷装置１の第２の全体的な動作（Ｓ１４）を示す第２のフローチャートである。
一般に、印刷用紙の上部は、印刷されるテキストの名称および日付などが印刷されるヘッダとして用いられ、印刷用紙の下部は、ページ数および脚注などが印刷されるフッダとして用いられることがある。
これらヘッダおよびフッダに印刷される情報は判読できなくても、その他の部分に印刷される本文さえ判読できれば、一般に、割当印刷された印刷物により、利用者に大きな不便を与えない。
このような場合には、図１２に示したＳ１０８の判断処理を、図１３に示すように、Ｓ１４０の判断処理に置換すればよい。
【００４２】
つまり、ステップ１４０（Ｓ１４０）において、文字サイズ判定部１６４は、その時点で情報テーブル（図５，図６）に含まれる情報と、選択された配列（図７〜図１０）とを用いて、判定対象とした物理頁に含まれる論理頁の画像が印刷されたときに、この物理頁に含まれる各論理頁のヘッダおよびフッダ（設定によってはこれらの一方）以外の部分に含まれる最小の文字のサイズが、図４に示した第２のＧＵＩ画像を用いて設定された大きさ未満となるか否かを判定する。
最小の文字のサイズが、図４に示した第２のＧＵＩ画像を用いて設定された大きさ未満となるときには、印刷プログラム１４はＳ１１０の処理に進み、これ以外のときにはＳ１２０の処理に進む。
【００４３】
［第２の変形例］
以下、本願実施形態の第２の変形例を説明する。
図１４は、図２に示したＵＩ１５２により、図１に示した入出力装置１０６の表示装置などに、図４に示した第１のＧＵＩ画像の代わりに表示され、文字サイズ情報および物理頁における画像の配列を示す配列情報の設定に用いられる第４のＧＵＩ画像を例示する図である。
図１５は、図１などに示した印刷装置１の第３の全体的な動作（Ｓ１６）を示す第３のフローチャートである。
上述のように、一般に、印刷用紙の上下部分は、ヘッダおよびフッダとして用いられ、これらの部分の文字が判読できなくても、利用者に大きな不便をかけないことが多い。
さらに、最も高い頻度で出てくる文字の全てが判読できなくても、一般に、利用者に大きな不便をかけないことが多い。
このような場合には、図１４に示すように、ＵＩ１５２が、図１４に示すように、文字サイズ判定部１６４に、最も各論理頁に多く含まれる文字の一定の割合が、設定された大きさに満たないときにのみ、各物理頁に含まれる論理頁の数を減らす設定を行うＧＵＩ画像に表示して、これらの情報を設定可能とし、さらに、図１２に示したＳ１０８の判断処理を、図１５に示すように、Ｓ１６０，Ｓ１６２の処理に置換すればよい。
【００４４】
つまり、ステップ１６０（Ｓ１６０）において、文字サイズ判定部１６４は、その時点で情報テーブル（図５，図６）に含まれる情報と、選択された配列（図７〜図１０）とを用いて、判定対象とした物理頁に含まれる論理頁の画像が印刷されたときに、ヘッダおよびフッダ（設定によってはこれらの一方）以外の部分に最も多く含まれる文字それぞれのサイズを判定する。
ステップ１６２（Ｓ１６２）において、文字サイズ判定部１６４は、各論理頁のヘッダおよびフッダ（設定によってはこれらの一方）以外の部分に最も多く含まれる文字の一定の割合以上が、図１４に示した第２のＧＵＩ画像を用いて設定された大きさ未満となるか否かを判定する。
各論理頁のヘッダおよびフッダ（設定によってはこれらの一方）以外の部分に最も多く含まれる文字の一定の割合以上が、設定された大きさ未満であるときには、印刷プログラム１４はＳ１１０の処理に進み、これ以外のときにはＳ１２０の処理に進む。
【符号の説明】
【００４５】
１・・・印刷装置，
１００・・・制御装置，
１０２・・・ＣＰＵ，
１０４・・・メモリ，
１０６・・・入出力装置，
１１０・・・ＩＦ，
１１２・・・記憶装置，
１１４・・・記憶媒体，
１４・・・印刷プログラム，
１４０・・・ＡＰ，
１５０・・・画像データ編集部，
１５２・・・ＵＩ，
１５４・・・設定受入部，
１６０・・・画像データ受信部，
１６２・・・印刷情報設定部，
１６４・・・文字サイズ判定部，
１６６・・・イメージ認識部，
１７２・・・印刷データ作成部，
１７４・・・印刷データ送信部，
１７６・・・印刷スプーラ部１７６，
【図１】
2011039642.tif 000003
【図２】
2011039642.tif 000004
【図３】
2011039642.tif 000005
【図４】
2011039642.tif 000006
【図５】
2011039642.tif 000007
【図６】
2011039642.tif 000008
【図７】
2011039642.tif 000009
【図８】
2011039642.tif 000010
【図９】
2011039642.tif 000011
【図１０】
2011039642.tif 000012
【図１１】
2011039642.tif 000013
【図１２】
2011039642.tif 000014
【図１３】
2011039642.tif 000015
【図１４】
2011039642.tif 000016
【図１５】
2011039642.tif 000017